(57)【特許請求の範囲】
【請求項１】
発光液と該発光液の発光を補助する補助液とを含む化学発光液をディスプレイに供給して、該化学発光液を化学発光させ、該ディスプレイの演出を行う演出用化学発光液の送液システムにおいて、
前記補助液は酸化剤を含む補助液Ｘと、化学発光の際の触媒を含む補助液Ｙとによって構成し、
発光色の異なる前記発光液が入れられる複数の発光液タンクと、前記補助液Ｘ、Ｙがそれぞれ入れられる補助液タンクとを備えると共に、前記発光液タンク及び前記補助液タンクから前記発光液と前記補助液Ｘ、Ｙの所定量を取り出し、混合器内又は前記ディスプレイに送り込まれる配管内で混合して、前記ディスプレイに供給する送液装置を有することを特徴とする演出用化学発光液の送液システム。
【請求項２】
請求項１記載の演出用化学発光液の送液システムにおいて、前記送液装置が所定流量の液体を送液する定容量ポンプを備えている演出用化学発光液の送液システム。
【請求項３】
請求項１記載の演出用化学発光液の送液システムにおいて、前記送液装置が前記発光液タンク及び前記補助液タンク内を加圧する加圧ガスの供給装置を備えている演出用化学発光液の送液システム。
【請求項４】
請求項１〜３のいずれか１項に記載の演出用化学発光液の送液システムにおいて、前記発光液タンク及び前記補助液タンクのそれぞれと前記ディスプレイとをつなぐ配管にはそれぞれ開閉バルブが設けられ、該開閉バルブの開閉時間のパターンを設定して、前記配管内で混合される前記発光液と前記補助液Ｘ、Ｙとの混合比率を制御する制御装置を有している演出用化学発光液の送液システム。
【請求項５】
請求項１〜４のいずれか１項に記載の演出用化学発光液の送液システムにおいて、前記ディスプレイがケーキカットを演出するケーキ載置台である演出用化学発光液の送液システム。
【発明の詳細な説明】
【０００１】
【発明の属する技術分野】
本発明は、例えば、結婚式のケーキカットにおける、ウェディングケーキの載置台等のディスプレイを、その周囲を滴下させる化学発光液で彩って演出する演出用化学発光液の送液システムに関する。
【０００２】
【従来の技術】
従来から緑、赤、青などの色に化学発光する化学発光液を用いて結婚式等に用いられるディスプレイの演出が行われている。
このディスプレイ用の化学発光液は、染料成分等を含む発光液と酸化剤、触媒等を含む補助液とを混合させ、両者の化学反応によって液自体を発光させるもので、発光液、補助液の組み合わせや混合比率等によって発光色の種類や、発光の持続時間、発光の強度等が定まるようになっている。
図６に示すように、従来の演出用化学発光液の送液システム５０は、種類の異なる発光液をそれぞれ保持する発光液タンク５１、５２、５３と、発光液タンク５１、５２、５３にそれぞれ補助液を供給するための補助液タンク５４と、発光液タンク５１、５２、５３内で所定の比率で混合された化学発光液をディスプレイ５５に送るためのポンプ５６を有している。
化学発光液は、結婚式を演出するために設けられたディスプレイ５５上のウェディングケーキ５７内を通る配管を介して、上部の天板部５８にポンプ５６を用いて送られる。そして、ウェディングケーキ５７を囲むように天板部５８から垂れ下がって配置された多数の透明なプラスチック棒５９に沿って化学発光液が流下するようになっている。そして、この化学発光液を順次所定の色彩に変化させると共に、化学発光液の流れによる光の変化によってディスプレイ５５の演出を行うことができる。
【０００３】
【発明が解決しようとする課題】
しかしながら、従来の演出用化学発光液の送液システム５０は、補助液と発光液とを予め発光液タンク５１〜５３の中で混合させているので、補助液と発光液との混合比率が異なるような化学発光液を連続的に切り替えて中間色等の表示や持続時間あるいは発光強度等の制御を行うのが困難であり、発光色や発光強度、発光時間を任意に変えられないという問題があった。
さらに、補助液と発光液とを一旦、混合した後は、発光の持続時間が限定されるために、演出スケジュールの変更等に柔軟に対応させて演出を行うことができないという欠点があった。
本発明はこのような事情に鑑みてなされたもので、表示させる中間色等を任意に設定してディスプレイを色彩豊かにして、演出の幅を広げて強い印象を与えることができ、しかも、演出スケジュールの変更等に応じてディスプレイに供給する化学発光液を無駄なく効果的に運用することのできる演出用化学発光液の送液システムを提供することを目的とする。
【０００４】
【課題を解決するための手段】
前記目的に沿う本発明に係る演出用化学発光液の送液システムは、発光液と該発光液の発光を補助する補助液とを含む化学発光液をディスプレイに供給して、該化学発光液を化学発光させ、該ディスプレイの演出を行う演出用化学発光液の送液システムにおいて、
前記補助液は酸化剤を含む補助液Ｘと、化学発光の際の触媒を含む補助液Ｙとによって構成し、
発光色の異なる前記発光液が入れられる複数の発光液タンクと、前記補助液Ｘ、Ｙがそれぞれ入れられる補助液タンクとを備えると共に、前記発光液タンク及び前記補助液タンクから前記発光液と前記補助液Ｘ、Ｙの所定量を取り出し、混合器内又は前記ディスプレイに送り込まれる配管内で混合して、前記ディスプレイに供給する送液装置を有している。これによって、発光液と補助液Ｘ、Ｙを事前に混合することなく必要な時に随時、両者を混合させて、ディスプレイに供給することができる。
ここで化学発光とは、化学反応により励起状態となった物質が基底状態に遷移する際に可視光線等を放出する現象をいい、２種以上の化学物質Ａ、Ｂを混合することによって実現することができる。
例えば、ビス（２、４、５トリクロロ−６−カルボブトキシフェニル）蓚酸エステル、ビス−９、１０−フェニルエチニルアントラセン、染料等をジブチルフタレートに溶かした発光液（化学物質Ａ）に、酸化剤としての過酸化水素や触媒としてのサリチル酸ナトリウム等をジメチルフタレートに溶かしてなる補助液（化学物質Ｂ）を混合することにより励起状態に移行させ、このような化学発光を所定時間持続させることができる。
【０００５】
ここで、送液装置には所定流量の液体をディスプレイに供給することのできる定容量ポンプを備えるようにしてもよい。この場合には、配管に設けた開閉弁の開閉時間によって発光液及び補助液の量を設定することができ、発光液と補助液の混合比率や流量の制御を簡単に行うことができる。
また、送液装置が発光液タンク及び補助液タンク内を加圧する加圧ガスの供給装置を有し、加圧ガスを駆動源として発光液及び補助液をディスプレイに供給してもよく、この場合にはポンプなどの機械的に作動する部分を省略することができ、メンテナンスが容易になる。
【０００６】
さらに、発光液タンク及び補助液タンクのそれぞれとディスプレイとをつなぐ配管にそれぞれ開閉バルブを設けると共に、開閉バルブの開閉時間のパターンを設定して発光液と補助液Ｘ、Ｙの混合比率を制御する制御装置を備えるようにしてもよい。これによって、制御装置に組み込まれたプログラムに従って、化学発光液の色彩や発色の程度を微妙に変化させることができる。
演出用となるディスプレイは、例えば、ネオンサインのような文字や図形を表示する広告表示板や広告塔であったり、遊園地やデパート等の施設に設けられる滝や噴水、花火等を表現した展示物であってもよい。また、このディスプレイをケーキカットの際に使用するケーキ載置台とすることができ、結婚式等のセレモニーを中間色を有して色彩豊かに発光する化学発光液によって演出できる。
【０００７】
【発明の実施の形態】
続いて、添付した図面を参照しつつ、本発明を具体化した実施の形態につき説明し、本発明の理解に供する。
ここに図１は本発明の一実施の形態に係る演出用化学発光液の送液システムを備えるディスプレイ装置の説明図、図２は同送液システムの説明図、図３は同送液システムの動作説明図、図４は変形例１に係る演出用化学発光液の送液システムの説明図、図５は変形例２に係る演出用化学発光液の送液システムの説明図である。
【０００８】
まず、本発明の一実施の形態に係る演出用化学発光液の送液システムを備えるディスプレイ装置について説明する。
図１に示すように、本発明の一実施の形態に係る演出用化学発光液の送液システム１０を備えるディスプレイ装置１１は、結婚式のケーキカットの演出を行うためのケーキ載置台１２（ディスプレイの一例）を有している。
図１及び図２に示すように演出用化学発光液の送液システム１０は、それぞれ緑、赤、青に発色する発光液Ｇ、Ｒ、Ｂが入れられる発光液タンク１３、１４、１５と、これらの発光液Ｇ、Ｒ、Ｂの化学発光を補助するための酸化剤を含む補助液Ｘと、化学発光の際の触媒を含む補助液Ｙとをそれぞれ保持する補助液タンク１６、１７を備えている。
【０００９】
さらに、演出用化学発光液の送液システム１０における送液装置は、各タンク１３〜１７から開閉バルブＶ１〜Ｖ５及び流量調整弁Ｃ１〜Ｃ５を介してそれぞれ発光液Ｇ、Ｒ、Ｂ及び補助液Ｘ、Ｙを取り出してケーキ載置台１２に混合器（Ｍ）１８を経由して送液するための定容量ポンプ（Ｐ）１９を有すると共に、開閉バルブＶ１〜Ｖ５を予め定められたプログラムに従って、それぞれ所定時間オンオフさせるための制御装置２０を備えている。
このように、開閉バルブＶ１〜Ｖ５を開いた場合の流量が、流量調整弁Ｃ１〜Ｃ５によって定量となるように予め設定されるので、定容量ポンプ１９への各タンク１３〜１７からの送液量が、各開閉バルブＶ１〜Ｖ５の開く時間をそれぞれ設定することで簡単に制御できるようになっている。
なお、このような流量調整弁Ｃ１〜Ｃ５を省略して、開閉バルブＶ１〜Ｖ５だけで、より簡便に流量の制御を行うことも可能である。
開閉バルブＶ１〜Ｖ５は、例えば、開閉バルブＶ１〜Ｖ５に設けられた図示しない電動アクチュエータやエアアクチュエータを、制御装置２０からの信号によって作動させることで開閉制御を行うことができる。
【００１０】
図１に示すようにケーキ載置台１２は、ウェディングケーキ２１が載せられるケーキ受け板２２と、ウェディングケーキ２１の上方に図示しない支持体により固定配置される天板部２３とを有し、ケーキ受け板２２と、基盤２４との間に演出用化学発光液の送液システム１０が収納されるようになっている。そして、化学発光液はウェディングケーキ２１の中を通る配管によって、天板部２３に送液され、天板部２３の円周に沿って垂直方向に配置された多数の透明なプラスチック棒２５を伝って流れ落ちる。この化学発光液は、プラスチック棒２５の中間位置に設けられた液溜め２６を経由して、最終的には、ケーキ受け板２２の上に配置された発光液の受け容器２７に溜まるようになっている。このようにプラスッチク棒２５には、流れ落ちる化学発光液を一旦、貯めておくことのできる液溜め２６が設けられているので、化学発光液の動きが単純化するのを防いで、長時間に亘って複雑、微妙に変化する流れを演出することができる。
【００１１】
続いて、前記ディスプレイ装置１１の使用方法について説明する。
図１に示すように、発光液Ｇ、Ｒ、Ｂを発光液タンク１３、１４、１５に、補助液Ｘ、Ｙを補助液タンク１６、１７にそれぞれ所定量を入れておく。
次に、定容量ポンプ１９を駆動させ、制御装置２０を用いて各開閉バルブＶ１〜Ｖ５を、例えば図３に示すような開閉時間のパターンで開閉させる。
即ち、まず、開閉バルブＶ１をｔ１時間開状態にした後、続いて開閉バルブＶ２をｔ２時間開く。続く開閉バルブＶ３〜Ｖ５についても同様にｔ３〜ｔ５の時間、順次開くようにして、この開閉バルブＶ１〜Ｖ５の一連の動作を１サイクルとする。そしてこのようなサイクルを繰り返すことによって、各発光液及び補助液が所定の比率となる化学発光液をケーキ載置台１２に供給することができる。ここで、ｔ１〜ｔ５によって所定比率となるように設定された発光液Ｇ、Ｒ、Ｂ及び補助液Ｘ、Ｙは、定容量ポンプ１９及び混合器１８内や、ディスプレイ装置１１に送り込まれる配管内を流れる過程で混合されるようになっている。なお、配管内だけで必要な混合がなされる場合には、混合器１８を省略することもできる。
【００１２】
また、発光色の変化だけではなく、発光強度を増減させる場合には、酸化液や触媒液の量をそれぞれ調整することによって、化学発光液に光の強弱を付与して、結婚式に必要な演出効果を持たせることもできる。
例えば、制御装置２０に予め組み込まれた、このようなサイクルを実現するプログラムによって、開閉バルブＶ１〜Ｖ５を制御して、所定の発光色と、持続時間、発光強度を持つ化学発光液をケーキ載置台１２に供給することができる。また、制御装置２０をミディー（Ｍｕｓｉｃａｌ  Ｉｎｓｔｒｕｍｅｎｔ  Ｄｉｇｉｔａｌ  Ｉｎｔｅｒｆａｃｅ）等のインターフェースを介して電子楽器やカラオケ装置のマイクロフォン等と接続し、取り込まれるデジタルデータに応じて、発光液及び補助液の混合比率を調整して、化学発光液の発光色を赤、青、緑やその中間色等に動的に変化させたり、発光強度を変動させるようにしてもよい。これによって、式場の楽器演奏等に対応させた即興的な光による演出効果をさらに高めることも可能となる。
【００１３】
ここで表１は種類の異なる発光液を複数組み合わせることにより発光させることのできる色の例を示している。例えば、発光液Ｇ、Ｒ、Ｂの３種を混合した組み合わせの場合（１）、化学発光液の発光色は白色となり、発光液Ｇ、Ｒをそれぞれ２種混合した場合（２）の発光色は橙色となることを示している。そして、混合比率の調整によって、緑、赤、青の３原色について、それぞれの中間色が多様にかつ連続的に表現できるようになっている。
【００１４】
【表１】
0003954224.tif 000002
【００１５】
次に、前記演出用化学発光液の送液システム１０の変形例１及び変形例２について説明する。図４及び図５にそれぞれ示す変形例１、２の演出用化学発光液の送液システム３０、４０は、図１における演出用化学発光液の送液システム１０を置き換えたものであり、ディスプレイ装置１１の全体構成はほぼ同様である。なお、以下の説明においては、同一の機能を有するものについては同一の符号を付して、その詳しい説明を省略している。
【００１６】
図４に示すように、変形例１に係る演出用化学発光液の送液システム３０は、酸化剤及び触媒を含む補助液が入れられる補助液タンク３１、及び緑、赤、青にそれぞれ発光する発光液Ｇ、Ｒ、Ｂが入れられる発光液タンク３２〜３４とを有している。そして、演出用化学発光液の送液システム３０における送液装置は、各タンク３１〜３４内のそれぞれの保有液を混合器１８に送るためのポンプＰ１〜Ｐ４を有しており、制御装置３５を用いてそれぞれの駆動状態が所定のパターンとなるように制御されるようになっている。
このポンプＰ１〜Ｐ４は、例えば可変速モータに接続したギヤポンプなどのように吐出量が任意に変えられるポンプであって、可変速モータの回転速度を制御装置３５を用いて制御することができる。
こうして、各ポンプＰ１〜Ｐ４を作動させることにより、所定の混合比率と量を持った発光液及び補助液の混合液（化学発光液）をケーキ載置台１２に連結する配管に供給することができる。
この場合には、演出用化学発光液の送液システム１０の場合のように定容量ポンプ１９を常時動かしておく必要がないので、演出用化学発光液の送液システム３０を経済的に運営させることができる。
【００１７】
図５に示すように、変形例２に係る演出用化学発光液の送液システム４０の送液装置は、補助液タンク３１及び発光液タンク３２〜３４内を加圧する加圧ガスの供給装置４１及び各タンク３１〜３４と混合器１８とをつなぐ配管にそれぞれ設けられた絞り機構を有する開閉バルブＢ１〜Ｂ４が備えられている。そして、この加圧ガスを駆動源として発光液及び補助液がケーキ載置台１２に供給されるようになっている。なお、この加圧ガスには、空気、炭酸ガス、窒素ガスを含む不活性ガス等を用いることができる。特に窒素ガス等の活性度の低いガスを用いる場合には、これによって、発光液や触媒や酸化剤等を含む補助液の変質が防止されるので、さらに化学発光液の色の再現性を良好に維持させることができる。
この開閉バルブＢ１〜Ｂ４は電磁アクチュエータやエアアクチュエータ等を用いて作動され、制御装置４２を用いて所定の開度に設定することができるようになっている。これによって、配管を介してケーキ載置台１２に送られる補助液及び発光液の混合比率を調整することができる。この場合には、各タンク３１〜３４内が予め加圧されているので、開閉バルブＢ１〜Ｂ４の開度調整だけで各タンク３１〜３４内の発光液及び補助液を混合器１８に導入できる。
【００１８】
以上、本発明の実施の形態を説明したが、本発明はこの実施の形態に限定されるものではなく、要旨を逸脱しない条件の変更等は全て本発明の適用範囲である。例えば、本実施の形態においては、単独で緑、赤、青に発光する発光液を複数組み合わせて用いる場合について説明したが、このような３原色に限らず、他の色、例えばピンク等を基調とする色彩のもの付加したような４色以上の発光液を組み合わせて、より多様な色彩を表現することもできる。また、ケーキ載置台以外のディスプレイ、例えば、滝や花火などを模した動きのある表現を要求される展示物や文字、図形の表示パネルに対しても本発明を適用することができる。
【００１９】
【発明の効果】
請求項１〜５記載の演出用化学発光液の送液システムにおいては、発光液タンク及び補助液タンクに保持された発光液と補助液Ｘ、Ｙの所定量をディスプレイに供給する送液装置を有するので、発光液と補助液Ｘ、Ｙとの混合比率を任意に変動させることができ、ディスプレイに供給される化学発光液の色彩や明るさを自在に変化させることができる。従って、送液される化学発光液の動きと、その色彩や明るさを微妙に変化させることのできる光によってディスプレイを流麗に演出することができる。
また、発光液と補助液Ｘ、Ｙとが必要な時に混合されるので、化学発光液を無駄なく効果的に運用でき、時間遅れ等に伴う色調の変化を招くことが少なく、再現性を良好に維持して化学発光液の色彩や明るさ等の制御を容易に行うことができる。
【００２０】
特に、請求項２記載の演出用化学発光液の送液システムにおいては、送液装置が所定流量の液体をディスプレイに供給する定容量ポンプを備えているので、ディスプレイに送る送液量の制御が確実になり、発光色の色調などの再現性をさらに向上すると共に、中間色等の色や発光強度等の設定を容易にして演出の幅を広げることができる。
また、請求項３記載の演出用化学発光液の送液システムにおいては、発光液タンク及び補助液タンク内を加圧する加圧ガスを駆動源として発光液及び補助液がディスプレイに供給されるので、ポンプなどの機械的に作動する部分を少なくして、メンテナンスを容易に行うことができる。
請求項４記載の演出用化学発光液の送液システムにおいては、発光液及び補助液Ｘ、Ｙの送液を制御する開閉バルブの開閉時間のパターンを設定して、発光液と補助液Ｘ、Ｙとの混合比率を制御する制御装置を有しているので、所定の中間色等を精密に再現性よく発現させることができ、化学発光液によるディスプレイの演出効果をさらに高めることができる。
請求項５記載の演出用化学発光液の送液システムにおいては、ディスプレイがケーキカットを演出するケーキ載置台であるので、色彩や明るさの微妙な変化を容易に表現できる化学発光液を用いて、セレモニーの雰囲気に相応しい華麗な演出を行うことができる。
【図面の簡単な説明】
【図１】本発明の一実施の形態に係る演出用化学発光液の送液システムを適用するディスプレイ装置の説明図である。
【図２】同演出用化学発光液の送液システムの説明図である。
【図３】同演出用化学発光液の送液システムの動作説明図である。
【図４】変形例１に係る演出用化学発光液の送液システムの説明図である。
【図５】変形例２に係る演出用化学発光液の送液システムの説明図である。
【図６】従来例の演出用化学発光液の送液システムの説明図である。
【符号の説明】
１０  演出用化学発光液の送液システム
１１  ディスプレイ装置              １２  ケーキ載置台
１３  発光液タンク                  １４  発光液タンク
１５  発光液タンク                  １６  補助液タンク
１７  補助液タンク                  １８  混合器
１９  定容量ポンプ                  ２０  制御装置
２１  ウェディングケーキ            ２２  ケーキ受け板
２３  天板部                        ２４  基盤
２５  プラスチック棒                ２６  液溜め
２７  受け容器
３０  演出用化学発光液の送液システム
３１  補助液タンク                  ３２  発光液タンク
３３  発光液タンク                  ３４  発光液タンク
３５  制御装置
４０  演出用化学発光液の送液システム
４１  加圧ガスの供給装置            ４２  制御装置
【図１】
0003954224.tif 000003
【図２】
0003954224.tif 000004
【図３】
0003954224.tif 000005
【図４】
0003954224.tif 000006
【図５】
0003954224.tif 000007
【図６】
0003954224.tif 000008